【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
サーバとクライアントとからなるサーバクライアントシステムを構成するサーバにおいて、
前記クライアントは、
他の装置が、前記サーバに送信したデータを記憶する記憶手段と、
前記記憶手段に記憶されたデータを、前記サーバに繰り返し送信する送信手段と
を有し、
前記サーバは、
セッション単位で変化する、データの暗号化に関する暗号関連処理を行う第１の処理手段と、
負荷試験用の前記暗号関連処理を行う第２の処理手段と、
前記第１または第２の処理手段のうちの一方を選択し、前記クライアントとやりとりするデータに対する前記暗号関連処理を行わせる選択手段と
を有する
ことを特徴とするサーバ。
【請求項２】
前記第１および第２の処理手段は、前記暗号関連処理として、データの暗号化または復号に用いる鍵または乱数を発生し、
前記第２の処理手段は、各セッションに対して同一の鍵または乱数を発生する前記暗号関連処理を行う
ことを特徴とする請求項１に記載のサーバ。
【請求項３】
サーバとクライアントとからなるサーバクライアントシステムを構成するサーバのデータ処理方法において、
前記クライアントは、
他の装置が、前記サーバに送信したデータを記憶する記憶手段と、
前記記憶手段に記憶されたデータを、前記サーバに繰り返し送信する送信手段と
を有し、
前記サーバは、
セッション単位で変化する、データの暗号化に関する暗号関連処理を行う第１の処理手段と、
負荷試験用の前記暗号関連処理を行う第２の処理手段と
を有し、
前記第１または第２の処理手段のうちの一方を選択する選択ステップと、
前記選択ステップにおいて選択された、前記第１または第２の処理手段のうちの一方が、前記クライアントとやりとりするデータに対する前記暗号関連処理を行う処理ステップと
を含むことを特徴とするデータ処理方法。
【請求項４】
サーバとクライアントとからなるサーバクライアントシステムを構成するサーバに実行させるプログラムにおいて、
前記クライアントは、
他の装置が、前記サーバに送信したデータを記憶する記憶手段と、
前記記憶手段に記憶されたデータを、前記サーバに繰り返し送信する送信手段と
を有し、
前記サーバは、
セッション単位で変化する、データの暗号化に関する暗号関連処理を行う第１の処理手段と、
負荷試験用の前記暗号関連処理を行う第２の処理手段と
を有し、
前記第１または第２の処理手段のうちの一方を選択する選択ステップと、
前記選択ステップにおいて選択された、前記第１または第２の処理手段のうちの一方に、前記クライアントとやりとりするデータに対する前記暗号関連処理を行わせる処理ステップと
を含むことを特徴とするプログラム。
【請求項５】
サーバとクライアントからなるサーバクライアントシステムを構成するクライアントにおいて、
前記サーバは、
セッション単位で変化する、データの暗号化に関する暗号関連処理を行う第１の処理手段と、
負荷試験用の前記暗号関連処理を行う第２の処理手段と、
前記第１または第２の処理手段のうちの一方を選択し、前記クライアントとやりとりするデータに対する前記暗号関連処理を行わせる選択手段と
を有し、
前記クライアントは、
他の装置が、前記サーバに送信した、暗号化されたデータを記憶する記憶手段と、
前記記憶手段に記憶されたデータを復号する復号手段と、
前記復号手段において復号されたデータの一部を書き換える書き換え手段と、
前記書き換え手段において一部が書き換えられたデータを暗号化し、前記記憶手段に記憶させる暗号化手段と、
前記記憶手段に記憶された、一部が書き換えられ、暗号化されたデータを送信する送信手段と
を有する
ことを特徴とするクライアント。
【請求項６】
サーバとクライアントからなるサーバクライアントシステムを構成するクライアントのデータ処理方法において、
前記サーバは、
セッション単位で変化する、データの暗号化に関する暗号関連処理を行う第１の処理手段と、
負荷試験用の前記暗号関連処理を行う第２の処理手段と、
前記第１または第２の処理手段のうちの一方を選択し、前記クライアントとやりとりするデータに対する前記暗号関連処理を行わせる選択手段と
を有し、
前記クライアントは、他の装置が、前記サーバに送信した、暗号化されたデータを記憶する記憶手段を有し、
前記記憶手段に記憶されたデータを復号する復号ステップと、
前記復号ステップにおいて復号されたデータの一部を書き換える書き換えステップと、
前記書き換えステップにおいて一部が書き換えられたデータを暗号化し、前記記憶手段に記憶させる暗号化ステップと、
前記記憶手段に記憶された、一部が書き換えられ、暗号化されたデータを送信する送信ステップと
を含むことを特徴とするデータ処理方法。
【請求項７】
サーバとクライアントからなるサーバクライアントシステムを構成するクライアントに実行させるプログラムにおいて、
前記サーバは、
セッション単位で変化する、データの暗号化に関する暗号関連処理を行う第１の処理手段と、
負荷試験用の前記暗号関連処理を行う第２の処理手段と、
前記第１または第２の処理手段のうちの一方を選択し、前記クライアントとやりとりするデータに対する前記暗号関連処理を行わせる選択手段と
を有し、
前記クライアントは、他の装置が、前記サーバに送信した、暗号化されたデータを記憶する記憶手段を有し、
前記記憶手段に記憶されたデータを復号する復号ステップと、
前記復号ステップにおいて復号されたデータの一部を書き換える書き換えステップと、
前記書き換えステップにおいて一部が書き換えられたデータを暗号化し、前記記憶手段に記憶させる暗号化ステップと、
前記記憶手段に記憶された、一部が書き換えられ、暗号化されたデータを送信させる送信ステップと
を含むことを特徴とするプログラム。
【請求項８】
サーバとクライアントとからなるサーバクライアントシステムにおいて、
前記クライアントは、
他の装置が、前記サーバに送信したデータを記憶する記憶手段と、
前記記憶手段に記憶されたデータを、前記サーバに繰り返し送信する送信手段と
を有し、
前記サーバは、
セッション単位で変化する、データの暗号化に関する暗号関連処理を行う第１の処理手段と、
負荷試験用の前記暗号関連処理を行う第２の処理手段と、
前記第１または第２の処理手段のうちの一方を選択し、前記クライアントとやりとりするデータに対する前記暗号関連処理を行わせる選択手段と
を有する
ことを特徴とするサーバクライアントシステム。
【手続補正２】
【補正対象書類名】明細書
【補正対象項目名】００１６
【補正方法】削除
【補正の内容】
【手続補正３】
【補正対象書類名】明細書
【補正対象項目名】００２２
【補正方法】変更
【補正の内容】
【００２２】
本発明の第２のプログラムは、他の装置が、サーバに送信した、暗号化されたデータを記憶する記憶手段に記憶されたデータを復号する復号ステップと、復号ステップにおいて復号されたデータの一部を書き換える書き換えステップと、書き換えステップにおいて一部が書き換えられたデータを暗号化し、記憶手段に記憶させる暗号化ステップと、記憶手段に記憶された、一部が書き換えられ、暗号化されたデータを送信させる送信ステップとを含むことを特徴とする。
本発明のサーバクライアントシステムは、サーバが、セッション単位で変化する、データの暗号化に関する暗号関連処理を行う第１の処理手段と、負荷試験用の暗号関連処理を行う第２の処理手段と、第１または第２の処理手段のうちの一方を選択し、クライアントとやりとりするデータに対する暗号関連処理を行わせる選択手段とを有することを特徴とする。
【手続補正４】
【補正対象書類名】明細書
【補正対象項目名】００２３
【補正方法】削除
【補正の内容】
【手続補正５】
【補正対象書類名】明細書
【補正対象項目名】００２５
【補正方法】変更
【補正の内容】
【００２５】
本発明のクライアント、第２のデータ処理方法、および第２のプログラムにおいては、他の装置が、サーバに送信した、暗号化されたデータを記憶する記憶手段に記憶されたデータが復号され、その復号されたデータの一部が書き換えられる。そして、その一部が書き換えられたデータが暗号化されて、記憶手段に記憶され、記憶手段に記憶された、一部が書き換えられ、暗号化されたデータが送信される。
本発明のサーバクライアントシステムにおいては、サーバにおいて、セッション単位で変化する、データの暗号化に関する暗号関連処理を行う第１の処理手段と、負荷試験用の暗号関連処理を行う第２の処理手段とのうちの一方が選択され、クライアントとやりとりするデータに対する暗号関連処理が行われる。
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】変更
【補正の内容】
【００３０】
請求項１に記載のサーバは、
サーバとクライアントとからなるサーバクライアントシステム（例えば、図１２のサーバクライアントシステム）を構成するサーバ（例えば、図１２のサーバ側装置２）において、
前記クライアント（例えば、図１２の負荷発生用クライアント側装置１１１）は、
他の装置（例えば、図１２のクライアント側装置１）が、前記サーバに送信したデータを記憶する記憶手段（例えば、図１３の記憶部１１３）と、
前記記憶手段に記憶されたデータを、前記サーバに繰り返し送信する送信手段（例えば、図１３の通信制御部１１４）と
を有し、
前記サーバは、
セッション単位で変化する、データの暗号化に関する暗号関連処理を行う第１の処理手段（例えば、図１４のセキュアチップ処理モジュール２３や、図１６の鍵／乱数発生モジュール１３２）と、
負荷試験用の前記暗号関連処理を行う第２の処理手段（例えば、図１４の負荷試験用セキュアチップ処理モジュール１２２や、図１６の負荷試験用鍵／乱数発生モジュール１３３）と、
前記第１または第２の処理手段のうちの一方を選択し、前記クライアントとやりとりするデータに対する前記暗号関連処理を行わせる選択手段（例えば、図１４のモジュール選択部１２１や、図１６のモジュール選択部１３１）と
を有する
ことを特徴とする。
【手続補正８】
【補正対象書類名】明細書
【補正対象項目名】００３１
【補正方法】変更
【補正の内容】
【００３１】
請求項３に記載のデータ処理方法は、
サーバとクライアントとからなるサーバクライアントシステム（例えば、図１２のサーバクライアントシステム）を構成するサーバ（例えば、図１２のサーバ側装置２）のデータ処理方法において、
前記クライアント（例えば、図１２の負荷発生用クライアント側装置１１１）は、
他の装置（例えば、図１２のクライアント側装置１）が、前記サーバに送信したデータを記憶する記憶手段（例えば、図１３の記憶部１１３）と、
前記記憶手段に記憶されたデータを、前記サーバに繰り返し送信する送信手段（例えば、図１３の通信制御部１１４）と
を有し、
前記サーバは、
セッション単位で変化する、データの暗号化に関する暗号関連処理を行う第１の処理手段（例えば、図１４のセキュアチップ処理モジュール２３や、図１６の鍵／乱数発生モジュール１３２）と、
負荷試験用の前記暗号関連処理を行う第２の処理手段（例えば、図１４の負荷試験用セキュアチップ処理モジュール１２２や、図１６の負荷試験用鍵／乱数発生モジュール１３３）と
を有し、
前記第１または第２の処理手段のうちの一方を選択する選択ステップ（例えば、図１５のステップＳ１０１や、図１７のステップＳ１１１）と、
前記選択ステップにおいて選択された、前記第１または第２の処理手段のうちの一方が、前記クライアントとやりとりするデータに対する前記暗号関連処理を行う処理ステップ（例えば、図１５のステップＳ１０２や、図１７のステップＳ１１２）と
を含むことを特徴とする。
【手続補正９】
【補正対象書類名】明細書
【補正対象項目名】００３２
【補正方法】変更
【補正の内容】
【００３２】
請求項４に記載のプログラムは、
サーバとクライアントとからなるサーバクライアントシステム（例えば、図１２のサーバクライアントシステム）を構成するサーバ（例えば、図１２のサーバ側装置２）に実行させるプログラムにおいて、
前記クライアント（例えば、図１２の負荷発生用クライアント側装置１１１）は、
他の装置（例えば、図１２のクライアント側装置１）が、前記サーバに送信したデータを記憶する記憶手段（例えば、図１３の記憶部１１３）と、
前記記憶手段に記憶されたデータを、前記サーバに繰り返し送信する送信手段（例えば、図１３の通信制御部１１４）と
を有し、
前記サーバは、
セッション単位で変化する、データの暗号化に関する暗号関連処理を行う第１の処理手段（例えば、図１４のセキュアチップ処理モジュール２３や、図１６の鍵／乱数発生モジュール１３２）と、
負荷試験用の前記暗号関連処理を行う第２の処理手段（例えば、図１４の負荷試験用セキュアチップ処理モジュール１２２や、図１６の負荷試験用鍵／乱数発生モジュール１３３）と
を有し、
前記第１または第２の処理手段のうちの一方を選択する選択ステップ（例えば、図１５のステップＳ１０１や、図１７のステップＳ１１１）と、
前記選択ステップにおいて選択された、前記第１または第２の処理手段のうちの一方に、前記クライアントとやりとりするデータに対する前記暗号関連処理を行わせる処理ステップ（例えば、図１５のステップＳ１０２や、図１７のステップＳ１１２）と
を含むことを特徴とする。
【手続補正１０】
【補正対象書類名】明細書
【補正対象項目名】００３３
【補正方法】変更
【補正の内容】
【００３３】
請求項５に記載のクライアントは、
サーバとクライアントからなるサーバクライアントシステム（例えば、図１２のサーバクライアントシステム）を構成するクライアント（例えば、図１２の負荷発生用クライアント側装置１１１）において、
前記サーバ（例えば、図１２のサーバ側装置２）は、
セッション単位で変化する、データの暗号化に関する暗号関連処理を行う第１の処理手段（例えば、図１４のセキュアチップ処理モジュール２３や、図１６の鍵／乱数発生モジュール１３２）と、
負荷試験用の前記暗号関連処理を行う第２の処理手段（例えば、図１４の負荷試験用セキュアチップ処理モジュール１２２や、図１６の負荷試験用鍵／乱数発生モジュール１３３）と、
前記第１または第２の処理手段のうちの一方を選択し、前記クライアントとやりとりするデータに対する前記暗号関連処理を行わせる選択手段（例えば、図１４のモジュール選択部１２１や、図１６のモジュール選択部１３１）と
を有し、
前記クライアントは、
他の装置（例えば、図１２のクライアント側装置１）が、前記サーバに送信した、暗号化されたデータを記憶する記憶手段（例えば、図１８の記憶部１１３）と、
前記記憶手段に記憶されたデータを復号する復号手段（例えば、図１８の負荷用暗号／復号ロジック部１４１）と、
前記復号手段において復号されたデータの一部を書き換える書き換え手段（例えば、図１８の通信データ書き換えロジック部１４２）と、
前記書き換え手段において一部が書き換えられたデータを暗号化し、前記記憶手段に記憶させる暗号化手段（例えば、図１８の負荷用暗号／復号ロジック部１４１）と、
前記記憶手段に記憶された、一部が書き換えられ、暗号化されたデータを送信する送信手段（例えば、図１８の通信制御部１１４）と
を有する
ことを特徴とする。
【手続補正１１】
【補正対象書類名】明細書
【補正対象項目名】００３４
【補正方法】変更
【補正の内容】
【００３４】
請求項６に記載のデータ処理方法は、
サーバとクライアントからなるサーバクライアントシステム（例えば、図１２のサーバクライアントシステム）を構成するクライアント（例えば、図１２の負荷発生用クライアント側装置１１１）のデータ処理方法において、
前記サーバは、
セッション単位で変化する、データの暗号化に関する暗号関連処理を行う第１の処理手段（例えば、図１４のセキュアチップ処理モジュール２３や、図１６の鍵／乱数発生モジュール１３２）と、
負荷試験用の前記暗号関連処理を行う第２の処理手段（例えば、図１４の負荷試験用セキュアチップ処理モジュール１２２や、図１６の負荷試験用鍵／乱数発生モジュール１３３）と、
前記第１または第２の処理手段のうちの一方を選択し、前記クライアントとやりとりするデータに対する前記暗号関連処理を行わせる選択手段（例えば、図１４のモジュール選択部１２１や、図１６のモジュール選択部１３１）と
を有し、
前記クライアントは、他の装置が、前記サーバに送信した、暗号化されたデータを記憶する記憶手段（例えば、図１８の記憶部１１３）を有し、
前記記憶手段に記憶されたデータを復号する復号ステップ（例えば、図１９のステップＳ１３２）と、
前記復号ステップにおいて復号されたデータの一部を書き換える書き換えステップ（例えば、図１９のステップＳ１４１）と、
前記書き換えステップにおいて一部が書き換えられたデータを暗号化し、前記記憶手段に記憶させる暗号化ステップ（例えば、図１９のステップＳ１３５）と、
前記記憶手段に記憶された、一部が書き換えられ、暗号化されたデータを送信する送信ステップ（例えば、図１９のステップＳ１５２）と
を含むことを特徴とする。
【手続補正１２】
【補正対象書類名】明細書
【補正対象項目名】００３５
【補正方法】変更
【補正の内容】
【００３５】
請求項７に記載のプログラムは、
サーバとクライアントからなるサーバクライアントシステム（例えば、図１２のサーバクライアントシステム）を構成するクライアント（例えば、図１２の負荷発生用クライアント側装置１１１）に実行させるプログラムにおいて、
前記サーバは、
セッション単位で変化する、データの暗号化に関する暗号関連処理を行う第１の処理手段（例えば、図１４のセキュアチップ処理モジュール２３や、図１６の鍵／乱数発生モジュール１３２）と、
負荷試験用の前記暗号関連処理を行う第２の処理手段（例えば、図１４の負荷試験用セキュアチップ処理モジュール１２２や、図１６の負荷試験用鍵／乱数発生モジュール１３３）と、
前記第１または第２の処理手段のうちの一方を選択し、前記クライアントとやりとりするデータに対する前記暗号関連処理を行わせる選択手段（例えば、図１４のモジュール選択部１２１や、図１６のモジュール選択部１３１）と
を有し、
前記クライアントは、他の装置が、前記サーバに送信した、暗号化されたデータを記憶する記憶手段（例えば、図１８の記憶部１１３）を有し、
前記記憶手段に記憶されたデータを復号する復号ステップ（例えば、図１９のステップＳ１３２）と、
前記復号ステップにおいて復号されたデータの一部を書き換える書き換えステップ（例えば、図１９のステップＳ１４１）と、
前記書き換えステップにおいて一部が書き換えられたデータを暗号化し、前記記憶手段に記憶させる暗号化ステップ（例えば、図１９のステップＳ１３５）と、
前記記憶手段に記憶された、一部が書き換えられ、暗号化されたデータを送信させる送信ステップ（例えば、図１９のステップＳ１５２）と
を含むことを特徴とする。
請求項８に記載のサーバクライアントシステムは、
サーバとクライアントとからなるサーバクライアントシステム（例えば、図１２のサーバクライアントシステム）において、
前記クライアント（例えば、図１２の負荷発生用クライアント側装置１１１）は、
他の装置（例えば、図１２のクライアント側装置１）が、前記サーバに送信したデータを記憶する記憶手段（例えば、図１３の記憶部１１３）と、
前記記憶手段に記憶されたデータを、前記サーバに繰り返し送信する送信手段（例えば、図１３の通信制御部１１４）と
を有し、
前記サーバ（例えば、図１２のサーバ側装置２）は、
セッション単位で変化する、データの暗号化に関する暗号関連処理を行う第１の処理手段（例えば、図１４のセキュアチップ処理モジュール２３や、図１６の鍵／乱数発生モジュール１３２）と、
負荷試験用の前記暗号関連処理を行う第２の処理手段（例えば、図１４の負荷試験用セキュアチップ処理モジュール１２２や、図１６の負荷試験用鍵／乱数発生モジュール１３３）と、
前記第１または第２の処理手段のうちの一方を選択し、前記クライアントとやりとりするデータに対する前記暗号関連処理を行わせる選択手段（例えば、図１４のモジュール選択部１２１や、図１６のモジュール選択部１３１）と
を有する
ことを特徴とする。